(57)【要約】【課題】ファインダから被写体の縦横倍率を互いに変化させた撮影画像を視認できる光学アダプタを提供する。【解決手段】光学アダプタは、アダプタ本体１１とレンズ部材１２とで構成されている。このレンズ部材１２は、横方向に単一の曲面を有する凸型のシリンドリカルレンズであり、画像を横方向に引き伸ばす作用をもっている。レンズ付きフイルムユニット２０の前面に設けられた撮影レンズ２６とファインダ２７は、光軸の横方向の位置が一致しており、上下に並べた配置となっている。レンズ部材１２は、アダプタ本体１１がレンズ付きフイルムユニット２０に装着された時に、横方向の中心位置が撮影レンズ２６及びファインダ２７と一致するようになっており、これらを前面側から覆っている。【選択図】　　　　図３
2004101653.tif 000002
【特許請求の範囲】
【請求項１】
カメラの撮影レンズの前面に着脱自在に装着されて使用される光学アダプタにおいて、
シリンドリカルレンズで構成され、前記撮影レンズとファインダを覆うレンズ部材を備えたことを特徴とする光学アダプタ。
【請求項２】
前記光学アダプタは、撮影レンズとファインダの光軸の横方向の位置が一致するように配置されたレンズ付きフイルムユニット用の光学アダプタであり、前記レンズ部材が前記撮影レンズと前記ファインダを覆うことを特徴とする請求項１記載の光学アダプタ。
【請求項３】
前記レンズ部材は、前記撮影レンズ及び前記ファインダに対して左右方向に曲面を有することを特徴とする請求項１または請求項２記載の光学アダプタ。
【請求項４】
前記レンズ部材は、前記撮影レンズ及び前記ファインダに対して左右方向に単一の曲面を有することを特徴とする請求項１または請求項２記載の光学アダプタ。
【発明の詳細な説明】
【０００１】
【発明の属する技術分野】
本発明は、光学アダプタに関し、更に詳しくは、シリンドリカルレンズを備え、縦横倍率を互いに変化させた像を形成するカメラ用の光学アダプタに関する。
【０００２】
【従来の技術】
カメラの撮影レンズの前面に様々な光学アダプタを取り付けて、特殊効果を施した写真を撮影することが知られている。このような特殊効果としては人物を効果的に演出するものが多い。例えば、被写体である人物を実際よりもスマートに撮影したり、その逆に実際よりも太ったように撮影する光学アダプタがある。このような光学アダプタとしては、シリンドリカルレンズを使用して、被写体の縦横倍率を互いに異なるように結像させている（例えば、特許文献１及び特許文献２参照。）。
【０００３】
また、製造時に写真フイルムが装填されたレンズ付きフイルムユニットに、このようなシリンドリカルレンズを備え、被写体の縦横倍率を互いに異なるように結像させているものもある（例えば、特許文献３参照）。
【０００４】
【特許文献１】
特開２０００−８１５６８号公報
【特許文献２】
特開平１１−６４９６２号公報
【特許文献３】
特開２０００−１２２２３３号公報
【０００５】
【発明が解決しようとする課題】
しかしながら、上記特許文献記載の技術では、シリンドリカルレンズにより撮影レンズが覆われているが、対物ファインダは覆われていないので、一眼レフカメラを除き、一般のカメラ及びレンズ付きフイルムユニットでは、撮影者は接眼ファインダ越しに縦横倍率の互いの変化を認識することができなかった。
【０００６】
また、特許文献３には、撮影レンズとは別個に、シリンドリカルレンズでファインダを覆う技術について記載されているが、撮影レンズとファインダを別々のレンズで覆っていることにより、撮影レンズ側の操作とファインダ側の操作が別々となり、操作ミスが生じる可能性がある。
【０００７】
本発明は、上記問題点を解決するためのもので、通常撮影との切替え操作が容易で、撮影者が接眼ファインダ越しに、シリンドリカルレンズによる縦横倍率の互いの変化を感じることができる光学アダプタを提供することを目的とする。
【０００８】
【課題を解決するための手段】
上記問題点を解決するために、本発明の光学アダプタは、カメラの撮影レンズの前面に着脱自在に装着されて使用される光学アダプタであり、シリンドリカルレンズで構成され、撮影レンズと対物側ファインダレンズを覆うレンズ部材を備えたことを特徴とするものである。
【０００９】
この光学アダプタは、撮影レンズと対物側ファインダレンズの光軸の横方向の位置が一致するように配置されたレンズ付きフイルムユニット用の光学アダプタであり、レンズ部材が撮影レンズと対物側ファインダレンズを覆うことを特徴とするものである。
【００１０】
また、レンズ部材は、撮影レンズ及びファインダに対して左右方向に、単一または複数の曲面を有することを特徴とするものである。
【００１１】
【発明の実施の形態】
図１は、本発明を実施した光学アダプタ１０の外観斜視図である。光学アダプタ１０はアダプタ本体１１と、レンズ部材１２とからなる。このレンズ部材１２は、外側（被写体側）に左右方向に凸の単一曲面を有するシリンドリカルレンズ（円筒レンズ）である。シリンドリカルレンズは、撮影レンズと組み合わせることにより、非点収差が誘致されて画像がある方向に圧縮または引き伸したりする作用を持っている。
【００１２】
アダプタ本体１１には、後述するレンズ付きフイルムユニットの前面下部に設けられたアダプタ保持部により保持される回動軸１３ａ，１３ｂと、レンズ付きフイルムユニットの上面の前方に設けられた係止穴に係止される被係止爪１４ａ，１４ｂが設けられている。また、アダプタ本体１１の中央にはレンズ保持枠１５が設けられており、このレンズ保持枠１５にレンズ部材１２が取り付けられている。この光学アダプタ１０は、後述するレンズ付きフイルムユニットに着脱自在に取り付けれれる。
【００１３】
図２は、光学アダプタ１０をレンズ付きフイルムユニット２０に取り付けた状態を示す外観斜視図である。このレンズ付きフイルム２０は、予め写真フイルム及びカートリッジが組み込まれ、シャッタを含む撮影機構が内蔵されたユニット本体２１と、ユニット本体２１の中央部を覆う外装ラベル２２とからなる。このユニット本体２１の上面には、シャッタボタン２３，光学アダプタ１０の被係止爪１４ａ，１４ｂを係止する係止穴２４ａ，２４ｂ等が設けられている。ユニット本体２１の背面からは、撮影後のフイルム巻き上げに用いられる巻上げノブ２５の一部が露呈されている。
【００１４】
ユニット本体２１の前面には、撮影レンズ２６，ファインダ２７等が設けれている。さらに、ユニット本体２１の前面の下部には、アダプタ保持部２９ａ，２９ｂが設けられており、アダプタ本体１１の回動軸１３ａ，１３ｂが保持される。これにより、光学アダプタ１０は、回動軸ａ，ｂを中心として図２（Ａ）に示す位置と図２（Ｂ）に示す位置との間で回動自在にレンズ付きフイルムユニット２０に取り付けられる。図２（Ｂ）に示す位置では、アダプタ本体１１の被係止爪１４ａ，１４ｂが、ユニット本体２１の上面に形成された係止穴２４ａ，２４ｂにて係止されて固定されている。
【００１５】
前述した撮影レンズ２６とファインダ２７は、図３に示すように、撮影レンズ２６の光軸と、ファインダ２７の光軸との横方向の位置が一致するように設計されており、上下に並べた配置となっている。図４は、光学アダプタ１０の固定位置（図２（Ｂ）に示す位置）における平面断面図であり、レンズ部材１２の横方向の中心が、撮影レンズ２６とファインダ２７の横方向の中心位置とが一致するようにされている。図３に示すように、このレンズ部材１２により撮影レンズ２６とファインダ２７が覆われている。
【００１６】
以上のように説明した光学アダプタの作用について説明を行う。この光学アダプタ１０は、レンズ付きフイルムユニット２０に装着された状態で図２（Ａ）に示す位置と図２（Ｂ）に示す位置との間で開閉自在であるため、通常撮影を行う場合は、取り外さずに光学アダプタ１０を装着したまま、図２（Ａ）に示す位置に光学アダプタ１０を開放した状態で撮影を行う。また、レンズ付きフイルムユニット２０から取り外して撮影しても良い。
【００１７】
この光学アダプタ１０を使用して縦横倍率を互いに変化させて撮影を行う場合には、光学アダプタ１０を図２（Ｂ）に示す位置に固定することにより、レンズ付きフイルムユニット２０の撮影レンズ２６とファインダ２７がレンズ部材１２により前面側から覆われる。
【００１８】
撮影者は、接眼側ファインダに目を近づけてファインダ画像の観察を行い、フレーミングを行う。そして、撮影者がシャッタボタン２３を押圧操作するとシャッタレリーズが行われる。
【００１９】
この際、図５に示すように、被写体光はレンズ部材１２を透過して撮影レンズ２６及びファインダ２７に入射する。レンズ部材１２と撮影レンズ２６を透過した被写体光は、鎖線Ａで示す水平方向の焦点距離が、鎖線Ｂで示す垂直方向の焦点距離よりも長くなるため、図６（Ａ）に示すように、実際の被写体３１が、撮影エリア３０内で横方向に拡大されて撮影画像３２のようになる。つまり、被写体３１は実際よりも太っているように撮影される。また、レンズ部材１２とファインダ２７を透過した被写体光も同様に、図６（Ａ）に示すように被写体３１が横方向に拡大される。これにより、撮影者は撮影画像３２をファインダ２７越しに確認しながら、撮影を行うことができる。この撮影は、レンズ付きフイルムユニット２０で通常の横撮りを行った場合である。
【００２０】
逆に、このレンズ付きフイルムユニット２０で縦撮りを行った場合には、被写体画像は、図６（Ｂ）に示すように、実際の被写体３１が縦方向に拡大されて、撮影画像３３のようになる。つまり、被写体は実際よりもスリムに撮影される。
【００２１】
このように、実際よりも被写体を太って撮影したい場合には、レンズ付きフイルムユニット２０で通常の横撮りを行い、実際よりも被写体をスリムに撮影したい場合には、縦撮りを行えば良い。
【００２２】
次に、光学アダプタ１０のレンズ部材１２の変形例について説明を行う。図７（Ａ）に示すレンズ部材４０は、被写体に対して左右方向に単一曲面を有する凹型シリンドリカルレンズである。このため、レンズ部材１２とは逆に、レンズ部材４０と撮影レンズ２６を透過した被写体光は、鎖線Ｃで示す水平方向の焦点距離が、鎖線Ｄで示す垂直方向の焦点距離よりも短くなるため、被写体画像が横方向に圧縮される。つまり、被写体は実際よりもスリムに撮影される。また、レンズ部材４０とファインダ２７を透過した被写体光も同様に、被写体画像が横方向に圧縮され、撮影者は撮影画像をファインダ２７越しに確認しながら撮影を行うことができる。この撮影は、レンズ付きフイルムユニット２０で通常の横撮りを行った場合である。
【００２３】
逆に、このレンズ付きフイルムユニット２０で縦撮りを行った場合には、被写体画像は、縦方向に圧縮される。つまり、被写体は実際よりも太っているように撮影される。このように、実際よりも被写体をスリムに撮影したい場合には、レンズ付きフイルムユニット２０で通常の横撮りを行い、実際よりも被写体を太って撮影したい場合には、縦撮りを行えば良い。
【００２４】
以上のように説明したレンズ部材１２，４０は、単一曲面を有する１枚のシリンドリカルレンズで構成されている。しかし、これに限るものではなく、図７（Ｂ）に示すレンズ部材４１のように、左右方向に曲面を有する２枚のシリンドリカルレンズ４２，４３を連結部４４にて結合しても良い。この場合、２個のレンズの光軸の横方向の中心位置が一致するように一体成形されているので精度が出し易い。この場合は、作用はレンズ部材１２と同様である。
【００２５】
また、図７（Ｃ）に示すレンズ部材４５のように、上下方向に曲面を有する２枚のシリンドリカルレンズ４６，４７を連結部４８にて結合したものを一体成形しても良い。この場合は、鎖線Ｆで示す垂直方向の焦点距離が、鎖線Ｅで示す水平方向の焦点距離よりも長くなるため、被写体画像が上下方向に拡大される。つまり、被写体は実際よりもスリムに撮影される。レンズ付きフイルムユニットで横撮りを行った時には、被写体画像が縦方向に拡大されて実際よりも被写体をスリムに撮影することが可能であり、縦撮りを行った時には、横方向に拡大されて実際よりも被写体を太っているように撮影することができる。
【００２６】
なお、本実施形態においては、本発明の光学アダプタをレンズ付きフイルムユニット用の光学アダプタとして説明したが、これに限るものではなく、通常のカメラ用の光学アダプタとしても実施可能である。
【００２７】
【発明の効果】
以上説明したように、本発明の光学アダプタによれば、シリンドリカルレンズであるレンズ部材にて、撮影レンズとともにファインダも前面側から覆うようにしたので、撮影者は接眼ファインダ越しに、撮影画像の縦横倍率の互いの変化を認識しながら撮影を行うことができる。また、１つのレンズ部材で、撮影レンズとファインダを覆うようにしたので、通常撮影との切替え操作が簡単で操作ミスを防止できる。
【図面の簡単な説明】
【図１】本発明の光学アダプタの外観斜視図である。
【図２】本発明の光学アダプタをレンズ付きフイルムユニットに装着した状態の外観斜視図である。
【図３】レンズ付きフイルムユニットの正面図である。
【図４】光学アダプタの固定状態における平面断面図である。
【図５】撮影光学系の斜視図である。
【図６】実際の被写体と撮影画像を示す概略図である。
【図７】レンズ部材の変形例を示す斜視図である。
【符号の説明】
１０　光学アダプタ
１１　アダプタ本体
１２　レンズ部材
１３ａ，１３ｂ　回動軸
１４ａ，１４ｂ　被係止爪
１５　レンズ保持枠
２０　レンズ付きフイルムユニット
２１　ユニット本体
２４ａ，２４ｂ　係止穴
２６　撮影レンズ
２７　ファインダ
２９ａ，２９ｂ　アダプタ保持部
【図１】
2004101653.tif 000003
【図２】
2004101653.tif 000004
【図３】
2004101653.tif 000005
【図４】
2004101653.tif 000006
【図５】
2004101653.tif 000007
【図６】
2004101653.tif 000008
【図７】
2004101653.tif 000009